(57)【要約】【課題】設置面に取り付けられた照明器具に対して照明用ランプが着脱自在に装着されるような照明装置にも統合制御可能な照明用ランプを提供する。【解決手段】照明用ランプ５は、複数個の発光素子（５０１）を備える光源モジュール（５０Ａ，５０Ｂ）と、点灯情報に基づいて光源モジュール（５０Ａ，５０Ｂ）を点灯させる点灯回路ユニット５１と、光源モジュール（５０Ａ，５０Ｂ）及び点灯回路ユニット５１が設けられるベース５２と、制御情報を受信して点灯回路ユニット５１に点灯情報を伝達する通信ユニット５８と、ベース５２に設けられ且つ照明器具に取り付けられる口金ユニット５４，５５とを備える。【選択図】図３
2019009073.tif 000002
【特許請求の範囲】
【請求項１】
照明器具に取り付けられる照明用ランプにおいて、
複数個の発光素子を備える光源モジュールと、
点灯情報に基づいて前記光源モジュールを点灯させる点灯回路ユニットと、
前記光源モジュール及び前記点灯回路ユニットが設けられるベースと、
制御情報を受信して前記点灯回路ユニットに点灯情報を伝達する通信ユニットと、
前記ベースに設けられ且つ前記照明器具に取り付けられる口金ユニットと
を備える照明用ランプ。
【請求項２】
前記通信ユニットは前記点灯回路ユニットから離間して設けられている
請求項１に記載の照明用ランプ。
【請求項３】
前記点灯回路ユニットは前記光源モジュールの裏側に配されている
請求項１又は２に記載の照明用ランプ。
【請求項４】
前記ベースは長尺状をし、
前記口金ユニットは２つあり、当該２つの口金ユニットは前記ベースの長手方向の両端に設けられ、
前記通信ユニットは前記２つの口金ユニットの一方に設けられている
請求項１〜３の何れか１項に記載の照明用ランプ。
【請求項５】
照明器具と当該照明器具に装着された照明用ランプとからなる複数台の照明装置と、前記複数台の照明装置の点灯を制御する照明制御装置とを備える照明システムであって、
前記複数の照明用ランプの少なくとも１つは請求項１〜４の何れか１項の照明用ランプであり、
前記通信ユニットは前記照明制御装置側から前記制御情報を受信する
照明システム。
【発明の詳細な説明】
【技術分野】
【０００１】
本発明は無線通信可能な照明用ランプ及び当該照明用ランプを備える照明システムに関する。
【背景技術】
【０００２】
近年、複数台の照明装置を照明制御装置によって統合制御する照明システムが提案されている（例えば特許文献１）。なお、このような照明システムは、例えば、ある程度の広さを有する部屋に複数台の照明装置が設置されている場合に用いられる。
【０００３】
特許文献１に記載の照明器具（照明装置に相当する）は、器具設置部材と、光源モジュールとを備えている。光源モジュールは、取付部材と、光源基板と、光源カバーと、端部カバーと、点灯装置と、照明用通信ユニットと、を備えており、これらが一体化されたものである。照明用通信ユニットは、無線通信回路モジュールが設けられた回路基板と、回路基板を収納し取付部材または器具設置部材に対して嵌め込まれたケースと、を備える。
【先行技術文献】
【特許文献】
【０００４】
【特許文献１】特開２０１７−６３０１０号公報
【発明の概要】
【発明が解決しようとする課題】
【０００５】
特許文献１に記載の光源モジュールは照明装置として組み込まれている。このため、設置面に取り付けられた照明器具に対してＬＥＤ直管ランプ（本明細書における「照明用ランプ」の一例である。）が着脱自在に装着されるような照明装置に適用しようとすると、装置全体の交換が必要となる。
本発明は、このような事情に鑑みてなされたものであって、設置面に取り付けられた照明器具に対して照明用ランプが着脱自在に装着されるような照明装置にも統合制御可能な照明用ランプ及び照明システムを提供することを目的とする。
【課題を解決するための手段】
【０００６】
上記課題を解決するために、本発明の一態様に係る照明用ランプは、照明器具に取り付けられる照明用ランプにおいて、複数個の発光素子を備える光源モジュールと、点灯情報に基づいて前記光源モジュールを点灯させる点灯回路ユニットと、前記光源モジュール及び前記点灯回路ユニットが設けられるベースと、制御情報を受信して前記点灯回路ユニットに点灯情報を伝達する通信ユニットと、前記ベースに設けられ且つ前記照明器具に取り付けられる口金ユニットとを備える。
上記課題を解決するために、本発明の一態様に係る照明システムは、照明器具と当該照明器具に装着された照明用ランプとからなる複数台の照明装置と、前記複数台の照明装置の点灯を制御する照明制御装置とを備える照明システムであって、前記複数の照明用ランプの少なくとも１つは上記の照明用ランプであり、前記通信ユニットは前記照明制御装置側から前記制御情報を受信する照明システム。
【発明の効果】
【０００７】
本発明によれば、通信ユニットを備えているため、設置面にすでに設置されている照明器具に照明用ランプを着脱自在に装着するような装置にも容易に適用できる。
【図面の簡単な説明】
【０００８】
【図１】本実施形態に係る照明システムを示す概略図である。
【図２】本実施形態の照明装置であって照明器具からＬＥＤ直管ランプを外した状態の斜視図である。
【図３】ＬＥＤ直管ランプの縦断面図である。
【図４】ＬＥＤ直管ランプの横断面であり、（ａ）は図３におけるＡ−Ａ断面を矢印方向から見た図であり、（ｂ）は図３におけるＢ−Ｂ断面を矢印方向から見た図である。
【図５】ＬＥＤ直管ランプの分解状態を裏側から見た斜視図である。
【図６】ＬＥＤ直管ランプの分解状態を表側から見た斜視図である。
【図７】ＬＥＤ直管ランプにおける点灯回路ユニットが存在する部位での断面斜視図である。
【図８】点灯回路ユニット及び通信ユニットのブロック図である。
【図９】供給側口金ユニットの斜視図であり、（ａ）は一部を切り欠いた図であり、（ｂ）は縦断面図である。
【図１０】通信側口金ユニットの分解状態を他端裏側から見た斜視図である。
【図１１】通信側口金ユニットの分解状態を他端表側から見た斜視図である。
【図１２】通信側口金ユニットの分解状態を一端裏側から見た斜視図である。
【図１３】通信側口金ユニットをベースから取り外した状態の縦断面を拡大した図である。
【図１４】通信側口金ユニットの横断面図であり、（ａ）はねじ体が存在する部位の断面であり、（ｂ）は延伸板部が存在する部位の断面であり、（ｃ）は支持部が存在する部位での断面である。
【図１５】ドングルの分解状態を表側から見た斜視図である。
【図１６】ドングルの分解状態を裏側から見た斜視図である。
【図１７】通信制御部のフローチャートである。
【発明を実施するための形態】
【０００９】
＜概要＞
一態様に係る照明用ランプは、照明器具に取り付けられる照明用ランプにおいて、複数個の発光素子を備える光源モジュールと、点灯情報に基づいて前記光源モジュールを点灯させる点灯回路ユニットと、前記光源モジュール及び前記点灯回路ユニットが設けられるベースと、制御情報を受信して前記点灯回路ユニットに点灯情報を伝達する通信ユニットと、前記ベースに設けられ且つ前記照明器具に取り付けられる口金ユニットとを備える。
別態様に係る照明用ランプは、前記通信ユニットは前記点灯回路ユニットから離間して設けられている。これにより、点灯回路ユニットのノイズの影響を少なくできる。
別態様に係る照明用ランプは、前記点灯回路ユニットは前記光源モジュールの裏側に配されている。これにより、長手方向の寸法を小さくできる。
別態様に係る照明用ランプは、前記ベースは長尺状をし、前記口金ユニットは２つあり、当該２つの口金ユニットは前記ベースの長手方向の両端に設けられ、前記通信ユニットは前記２つの口金ユニットの一方に設けられている。これにより、通信ユニットを光源モジュールから発せられた光を遮光することなく配置することでできる。
【００１０】
<実施形態＞
１．照明システム８及び照明装置１の全体構成
主に図１及び図２を用いて説明する。
照明システム８は、図１に示すように、複数台の照明装置１と照明制御装置７とから構成される。ここでの照明装置１は、図１に示すように、例えば１２台あり、１２台の照明装置１の点灯、消灯、調光等（以下、単に「点灯等」ともいう。）が照明制御装置７により統合制御される。
例としては、Ａ０１〜Ａ０４及びＢ０１〜Ｂ０２の６台の照明装置１は１８時になると一斉に消灯し、Ｃ０１〜Ｃ０３及びＤ０１〜Ｄ０３の照明装置１が２０時になると徐々に暗くなり始め３０分後に消灯する等である。
照明装置１は通信ユニットを有し、当該通信ユニットを介して他の照明装置１や照明制御装置７と通信可能なネットワークが構築される。
【００１１】
一例である照明装置１は例えば天井等の設置面に取り付けられる長尺状の照明装置である。照明装置１は、図２に示すように、設置面に取り付けられる長尺状の照明器具３と、照明器具３に着脱自在に装着されるＬＥＤ直管ランプ５とを備える。
照明装置１において光を出射する側を表側とし、単に「表側」とすることもある。照明装置１において設置面が存在する側を裏側とし、単に「裏側」とすることもある。長尺状の照明装置１の長手方向を単に「長手方向」とすることもあり、照明装置１の短手方向を単に「短手方向」とすることもある。
【００１２】
２．照明器具３
主に、図２〜図４を用いて説明する。
照明器具３は例えば吊りボルト等（図示省略）により被取付面に固定される。
照明器具３は器具ベース３１と一対のソケット３３とを備える。ここでの照明器具３は２本のＬＥＤ直管ランプ５を装着することができる。器具ベース３１は例えば金属板をプレスして形成されている。器具ベース３１は、横断面形状において底辺が設置面側に位置する高さの低い二等辺三角形状をする、所謂、逆富士タイプである。
一対のソケット３３は、器具ベース３１の２等辺を構成する各傾斜板部であって長手方向の両端側に設けられている。
【００１３】
３．ＬＥＤ直管ランプ５
ＬＥＤ直管ランプ５は、図３に示すように、少なくとも、発光素子の一例であるＬＥＤ素子５０１を光源とする光源モジュール５０と、光源モジュール５０の点灯を制御する点灯回路ユニット５１と、光源モジュール５０及び点灯回路ユニット５１が設けられるベース５２と、ベース５２に設けられ且つ照明器具３のソケット３３に取り付けられる口金ユニット５４，５５と、制御情報を受信して点灯回路ユニット５１に点灯情報を伝達する通信ユニット５８とを備える。
ここでの口金ユニット５４は照明器具３から受電して点灯回路ユニット５１へ電力を供給する機能を有し、口金ユニット５４を供給側口金ユニット５４とする。口金ユニット５５には通信ユニット５８が設けられており、口金ユニット５５を通信側口金ユニット５５とする。
ＬＥＤ直管ランプ５は、上記構成以外に、光源モジュール５０を覆う透光性カバー５３を備えている。ＬＥＤ直管ランプ５は、図５及び図６に示すように、光源モジュール５０からの光を表側に反射させる反射シート５０６を備える。
ここで、長手方向において、通信側口金ユニット５５が存在する側を「一端」とし、供給側口金ユニット５４が存在する側を「他端」とする。
以下、各部について説明する。
【００１４】
（１）光源モジュール５０
光源モジュール５０は、図３、図４、図７に示すように、複数個のＬＥＤ素子５０１とＬＥＤ基板５０３とを備える。ＬＥＤ基板５０３は長手方向に細長い矩形状をしている。
ＬＥＤ素子５０１は一例として１列で長手方向に沿って配されている。ここでは、ＬＥＤ直管ランプ５が長尺状であるため、図５及び図６に示すように、２個の光源モジュール５０Ａ，５０Ｂが長手方向に連続して配されている。なお、２個の光源モジュール５０Ａ，５０Ｂはジャンパー線（図示省略）により接続されている。
【００１５】
２つのＬＥＤ基板５０３には、図６に示すように、給電ケーブルと接続するためのコネクタ５０５Ａ，５０５Ｂが設けられている。コネクタ５０５Ａ，５０５Ｂは、長手方向に配された２個のＬＥＤ基板５０３を１つとしたときに、その長手方向の両端に設けられている。
【００１６】
ＬＥＤ基板５０３は、図７に示すように、長手方向に間隔を置いて基板押さえ具５０７により支持されている。基板押さえ具５０７は、ベース５２に取り付けられる一対の取付部５０８と、一対の取付部５０８を連結する連結部５０９とを有する。取付部５０８は長手方向に延伸する矩形状をし、外側面から外方に延伸する延伸部分５０８ａがベース５２の溝５２５ａに係合する。
一対の連結部５０９は、ＬＥＤ基板５０３の表面に当接し且つその間にＬＥＤ素子５０１を挟んだ状態で、一対の取付部５０８を短手方向に連結する。なお、基板押さえ具５０７の連結部５０９は弾性変形可能であり、弾性変形させることで延伸部分５０８ａを溝５２５ａに挿入できる。
【００１７】
（２）点灯回路ユニット５１
点灯回路ユニット５１は、供給側口金ユニット５４を介して商用電源から受電した電力から点灯電力を生成して、光源モジュール５０に供給する。
点灯回路ユニット５１は、図８に示すように、点灯電力を生成する点灯電力生成部５１０と、照明制御装置７（図１参照）から指示された点灯情報の点灯電力を点灯電力生成部５１０に生成させる点灯制御部５１１と、点灯情報等を記憶する記憶部５１２とを備える。
点灯電力は、照明制御装置７から受信した制御信号に含まれた点灯情報や記憶部５１２に記憶された点灯情報に基づいて生成される。なお、受信した制御信号を「受信信号」ともいい、光源モジュール５０の点灯情報が含まれた受信信号を点灯信号とする。
【００１８】
点灯回路ユニット５１は、図３及び図４に示すように、点灯電力生成部５１０や点灯制御部５１１や記憶部５１２を構成するための複数個の電子部品５１３と、複数個の電子部品５１３が実装される回路基板５１４とを備える。
ここでの点灯回路ユニット５１は、電子部品５１３及び回路基板５１４を収容する回路ケース５１５を備える。回路ケース５１５により、ベース５２と電子部品５１３、回路基板５１４との絶縁をしている。点灯回路ユニット５１は、図３、図４及び図７に示すように、ベース５２に搭載された光源モジュール５０の裏側に配されている。なお、図では複数個の電子部品５１３を１つのブロックとして表している。
【００１９】
点灯電力生成部５１０は、例えばＰＷＭ制御を用いて、光源モジュール５０を点灯（消灯）させたり、デューティ比を調整することで光源モジュール５０を調光点灯させたりする。なお、デューティ比の調整は点灯制御部５１１により行われる。
点灯制御部５１１は、ＣＰＵ、ＲＡＭ、ＲＯＭ等を備えたマイクロコンピュータで構成されている。点灯制御部５１１は、ＣＰＵがＲＯＭに格納されたプログラムやデータに基づいて点灯に関する制御を行ったり、照明制御装置７から通信ユニット５８を介して受信した点灯情報を不揮発性の記憶部５１２に記憶したりする。点灯制御部５１１は、照明制御装置７からの制御指示に対する動作状況を通信制御部５８４に出力する。
【００２０】
回路ケース５１５は、図７に示すように、ベース５２の直線壁部５２４と円弧壁部５２７の内周面に当接するような形状をしている。回路ケース５１５の横断面形状は台形状に近い形状をしている。回路ケース５１７は、直線壁部５２４に当接（近接）する平板部分５１５ａと、平板部分５１５ａの両端から裏側に立設する一対の立設板部分５１５ｂと、各立設板部分５１５ｂの裏側端から斜め裏側へ傾斜して延伸する一対の傾斜板部分５１５ｃと、一対の傾斜板部分５１５ｃを連結する平坦板部５１５ｄとを有する。傾斜板部分５１５ｃの外面がベース５２の円弧壁部５２７の内面に当接（近接）する。なお、ベース５２は金属材料（アルミニウム）で構成されているため、回路ケース５１５は絶縁性の樹脂材料により構成されている。
【００２１】
回路基板５１４の回路ケース５１５への取り付けは、主には接着剤を利用して行われる。例えば、別様態として、回路ケース５１５が、図３の拡大図に示すように、回路ケース５１５内に延伸する延伸片５１５ｅを平板部分５１５ａに有し、延伸片５１５ｅが回路基板５１４の貫通孔５１４ａを挿通する。これにより、回路基板５１４が回路ケース５１５に係止される。さらに、係止部分を接着剤により固定することができる。
回路ケース５１５は、図１３に示すように、通信側口金ユニット５５側の端部に貫通孔５１５ｆを有している。貫通孔５１５ｆには、通信側口金ユニット５５の延伸部分５６１ｇの凸部分５６１ｈが係合する。これにより、回路ケース５１５のベース５２に対する位置決めが行われる。
【００２２】
点灯回路ユニット５１は、一部図示しないが、回路基板５１４と供給側口金ユニット５４と接続する受電ケーブル用のコネクタと、回路基板５１４と通信ユニット５８とを接続する通信ケーブル５１９（図８参照）用のコネクタ５１９ａ（図１０及び図１２参照）と、回路基板５１４と光源モジュール５０とを接続する給電ケーブル５１８（図８参照）用のコネクタとを回路基板５１４に備える。
給電ケーブル５１８は、長手方向の一端側に位置するＬＥＤ基板５０３の長手方向の一端と接続する第１給電ケーブルと、長手方向の他端側に位置するＬＥＤ基板５０３の長手方向の他端と接続する第２給電ケーブルとの２本がある。
【００２３】
（３）ベース５２
ベース５２は、図７に示すように、光源モジュール５０を搭載するモジュール搭載機能を有する。ベース５２は点灯中の光源モジュール５０に発生する熱を放出する放熱機能を有する。ベース５２は点灯回路ユニット５１を収容（装備）する回路収容機能を有する。ベース５２は供給側口金ユニット５４及び通信側口金ユニット５５を装着する口金装着機能を有する。ベース５２は透光性カバー５３を装着するカバー装着機能を有する。
ここでのベース５２は、光源モジュール５０を載置する載置部と、点灯回路ユニット５１を収容する収容部及び位置決め部と、供給側口金ユニット５４及び通信側口金ユニット５５を装着するための口金装着部とを有している。
【００２４】
ベース５２は、図３及び図４に示すように、長手方向に長く且つ平坦面を有する筒状をしている。ここでのベース５２は、図４に示すように、横断面形状が半円状や半長円状に近い形状の筒状をしている。なお、ベース５２の横断面形状は長手方向に一定（同じ）である。ベース５２は、例えば金属材料（アルミニウム）から構成され、例えば押し出し成型により得られる。ベース５２の外表面は例えば白色塗装されている。これにより、蛍光直管ランプと同じような色合いとなる。また、光源モジュール５０から発せられた光を反射でき、光の取り出し効率を向上できる。
【００２５】
ベース５２は、図７に示すように、横断面において、短手方向に延伸する直線壁部５２４と、直線壁部５２４の短手方向の両端から表側へと「Ｌ」字状又は「Ｌ」字に似た形状で延伸する一対のＬ字状壁部５２５と、直線壁部５２４の短手方向の両端から裏側に「Ｓ」字状又は「Ｓ」字に似た形状で延伸する一対のＳ字状壁部５２６と、一対のＳ字状壁部５２６の裏側端同士を円弧状に連結する円弧壁部５２７とを有する。
なお、Ｓ字状壁部５２６の一部は、図７に示すように、直線壁部５２４の短手方向の端部を利用して「Ｓ」字状を構成している。
【００２６】
直線壁部５２４の表面は、図７に示すように、光源モジュール５０を載置する載置部を構成する。ここでは、光源モジュール５０と直線壁部５２４との間に反射シート５０６が配されている。なお、反射シート５０６は絶縁性の樹脂シートである。光源モジュール５０と反射シート５０６は例えば接着材や両面テープ等により直線壁部５２４に固着されている。
【００２７】
Ｌ字状壁部５２５の先端部分５２５ｂと直線壁部５２４の短手方向の端部との間には、図７に示すように、長手方向に延伸する溝５２５ａが形成される。溝５２５ａには基板押さえ具５０７の延伸部分５０８ａが挿入される。これにより、延伸部分５０８ａが溝５２５ａに係合し、基板押さえ具５０７がベース５２に取り付けられる。
基板押さえ具５０７は、図７に示すように、取付部５０８の裏面に段差５０８ｂを有している。この段差５０８ｂにより反射シート５０６の短手方向のズレが規制（位置決め）される。
【００２８】
Ｓ字状壁部５２６は、図４に示すように、「Ｓ」字を利用して表裏方向に離間する２つの外溝５２６ａと内溝５２６ｂを形成する。外溝５２６ａは、Ｓ字状壁部５２６の表側に位置し、短手方向の外方側が開口する。内溝５２６ｂは、Ｓ字状壁部５２６の裏側に位置し、短手方向の内方側が開口する。
Ｓ字状壁部５２６は外溝５２６ａを構成する部分における外方側端部から表側に張り出す凸条部分５２６ｃを有する。外溝５２６ａには、図４及び図７に示すように、透光性カバー５３の開口側端部に形成されている段付凸条部５３２が挿入される。挿入された状態では、段付凸条部５３２がベース５２の溝５２６ａの凸条部分５２６ｃに係合する。これにより、透光性カバー５３がベース５２に装着される。
内溝５２６ｂには、図５及び図６に示すように、後述の供給側口金ユニット５４及び通信側口金ユニット５５をベース５２に装着するためのねじ体７１，７３が螺合する。このように溝５２６ｂが口金装着部を構成する。
【００２９】
ベース５２は、図７に示すように、筒状をし、その内側空間に点灯回路ユニット５１を収容する。つまり、ベース５２の内部空間が点灯回路ユニット５１の収容部となる。ベース５２は金属材料で構成されているため、点灯回路ユニット５１で発生したノイズはベース５２によりシールドされる。
ベース５２の一対のＳ字状壁部５２６における内面が回路ケース５１５の一対の立設板部分５１５ｂの外面に当接（近接）し、ベース５２の円弧壁部５２７の内面が回路ケース５１５の傾斜板部分５１５ｃに当接（近接）する。これにより、回路ケース５１５がベース５２により支持され且つ位置決めされる。つまり、ベース５２のＳ字状壁部５２６と円弧壁部５２７とにより点灯回路ユニット５１の位置決め部が構成される。なお、ここでの位置決めは長手方向と直交する方向に対してなされる。
【００３０】
（４）透光性カバー５３
透光性カバー５３は、図７に示すように、その横断面が半円状又は半円に似た形状の半筒状をしている。透光性カバー５３は光源モジュール５０を覆い保護する保護機能を有する。なお、透光性カバー５３は光源モジュール５０から発せられた光を透過させるポリカーボネート等の透光性材料からなる。
【００３１】
透光性カバー５３は、図７に示すように、半筒状の本体部５３１と、本体部５３１の開口側端部に設けられた段付凸条部５３２と、本体部５３１における段付凸条部５３２よりも表側に設けられた凸条部５３３とを有する。段付凸条部５３２及び凸条部５３３は、短手方向の内方に突出し、長手方向に連続して延伸する。
【００３２】
図７に示すように、段付凸条部５３２の段差５３２ａは外面から内面に向かって裏側が高くなる。段差５３２ａはベース５２の凸条部分５２６ｃと嵌合する。この段付凸条部５３２の段差５３２ａは透光性カバー５３のベース５２からの外れを防止する外れ防止部を構成する。
【００３３】
段付凸条部５３２と凸条部５３３との間隔は、ベース５２のＬ字状壁部５２５の表裏方向の長さに対応している。透光性カバー５３の段付凸条部５３２と凸条部５３３との間には、ベース５２のＬ字状壁部５２５が挿入される。なお、挿入は透光性カバー５３をベース５２の長手方向の端部から行われる。
【００３４】
ベース５２と透光性カバー５３とで光源モジュール５０及び点灯回路ユニット５１を収容する筐体を構成する。筐体の横断面形状における外周形状は、従来の直管蛍光灯と同じ形状又は似た形状をしており、円形状又は円に似た形状をしている。ベース５２の放熱機能を高めるために、横断面において、透光性カバー５３の表面積は筐体全体の表面の２０（％）〜３０（％）となっている。なお、放熱機能を高める必要がない場合、透光性カバーの表面積の比率は上記比率よりも高くてもよい。これにより広範囲に光を出射するＬＥＤ直管ランプが得られる。
【００３５】
（５）供給側口金ユニット５４
供給側口金ユニット５４は、図３及び図９に示すように、一対の口金ピン５４１を供給側口金本体５４２に有する。口金ピン５４１は図示省略の受電ケーブルと接続される。
供給側口金本体５４２は、図９に示すように、有底筒部５４３と、有底筒部５４３の開口側端から筐体（透光性カバー５３とベース５２）の内周面に沿うように延伸する延伸部５４４と、有底筒部５４３の開口側端部の外周面に設けられた外鍔部５４５とを有する。
【００３６】
一対の口金ピン５４１は、図９の（ｂ）に示すように、有底筒部５４３の底部分５４３ａの貫通孔５４３ｂを挿通している。供給側口金本体５４２は、図９の（ａ）に示すように、受電ケーブルを口金ピン５４１に通すための案内部５４６を有している。案内部５４６は、有底筒部５４３の筒部分５４３ｃの内面に設けられた案内板部分５４３ｄと、筒部分５４３ｃと底部分５４３ａとに跨るように設けられた案内筒部分５４３ｅとを有している。
【００３７】
供給側口金本体５４２は有底筒部５４３の開口側端部と外鍔部５４５とに跨って形成された装着部を有している。装着部は、供給側口金ユニット５４をベース５２に装着するためのものである。装着にはベース５２の内溝５２６ｂ（図７参照）に螺合するねじ体７１を利用している。装着部は、図９に示すように、ねじ体７１用の貫通孔５４３ｆにより構成される。なお、貫通孔５４３ｆは外鍔部５４５を利用し、ねじ体７１の頭部用の空間やねじ体７１の螺合作業用の空間を確保するために、有底筒部５４３の筒部分５４３ｃの対応部位が内側に凹入する凹入部分５４３ｇとなっている。
【００３８】
延伸部５４４は、図９の（ａ）に示すように、ここでは２ヶ所に設けられている。２個の延伸部５４４は、延伸方向から見たときに、一対の貫通孔５４３ｆを結ぶ仮想線部に対して表側及び裏側に存在する。
透光性カバー５３側の延伸部５４４は、図４の（ａ）に示すように、透光性カバー５３の本体部５３１の内周面に当接（近接）するように横断面形状が円弧状をしている。透光性カバー５３側の延伸部５４４は、円弧の周方向における端部が透光性カバー５３の凸条部５３３に当接（近接）する。これにより、透光性カバー５３が供給側口金ユニット５４に対して周方向に位置決めされる。
【００３９】
ベース５２側の延伸部５４４は、図４の（ａ）に示すように、ベース５２の円弧壁部５２７の内周面に当接（近接）するように横断面形状が円弧状をしている。ベース５２側の延伸部５４４は、円弧の周方向における端部がベース５２のＳ字状壁部５２６に当接（近接）する。これにより、ベース５２が供給側口金ユニット５４に対して周方向に位置決めされる。
【００４０】
（６）通信側口金ユニット５５
通信側口金ユニット５５は、図３に示すように、ＬＥＤ直管ランプ５を照明器具３に取り付けるための取付機能を有する。通信側口金ユニット５５は、照明器具３のソケット３３（図２参照）の取付孔に挿入される一対の口金ピン５５１を口金ケース５５２に備える。ここでは、口金ピン５５１は盤体５５０に取付けられた状態で口金ケース５５２に取り付けられる。口金ケース５５２には通信ユニット５８が設けられている。なお、盤体５５０に口金ピン５５１が取付けられて一体化されたものを、図５及び図６に示すように、ピン付き盤体５５３とする。
【００４１】
（６−１）口金ケース５５２
口金ケース５５２は、図３に示すように、ケース本体５６０とケース蓋体５７０と盤体５５０とを備える。口金ケース５５２内には通信ユニット５８を構成する通信モジュール５８１が収容され、記憶デバイス５８５を収容するドングル５８２（図１５及び図１６参照）を通信モジュール５８１に対して着脱自在とするための貫通窓５７６（図５参照）が口金ケース５５２のケース蓋体５７０に形成されている。
口金ケース５５２は、通信モジュール５８１を収容し、ドングル５８２を装着している。このため、図４の（ｂ）に示すように、ケース本体５６０の外観形状は直方体に似た形状をし、口金ケース５２２の横断面形状は非円形状をしている。
【００４２】
ケース本体５６０の外観形状は、透光性カバー５３とベース５２とを組み合わせた筐体の外観形状である円形状と異なる。しかしながら、ケース本体５６０の短手方向の寸法が透光性カバー５３やベース５２の短手方向の寸法と略一致しているため、ＬＥＤ直管ランプ５をＬＥＤ基板５０３と直交する方向から見たときに、口金ケース５５２と透光性カバー５３とが同じような形状に見え、意匠性を高めている。
【００４３】
（６−１−１）ケース本体５６０
ケース本体５６０は、図１０から図１２に示すように、通信側口金ユニット５５をベース５２に装着するための装着部５６１と、通信モジュール５８１を収容するためのケース部５６２とを有している。ケース本体５６０は、図１２に示すように、ケース蓋体５７０の周壁５７１ｂの長手方向の他端部を支持する支持部５６３を有している。
【００４４】
（ａ）固定部
装着部５６１は、図３に示すように、ベース５２と透光性カバー５３との端面と当接する当接板部分５６１ａを有している。当接板部分５６１ａは、図４の（ｂ）に示すように、ベース５２及び透光性カバー５３の外周面形状を略同じ形状の外周面を有している。これにより、通信側口金ユニット５５とベース５２との当接（近接）部分及び通信側口金ユニット５５と透光性カバー５３との当接（近接）部分の意匠性を向上させることができる。
当接板部分５６１ａは、図１２に示すように、中央部に貫通孔５６１ｂを有する円板状をしている。なお、貫通孔５６１ｂの引出線は回路側延伸部分５６１ｊと区別するために先端を矢印にしている。
ケース本体５６０は、通信側口金ユニット５５をベース５２に装着するための装着部分を当接板部分５６１ａに有している。装着には、ベース５２の内溝５２６ｂ（図７参照）に螺合するねじ体７３（図１０〜図１２参照）を利用し、装着部分はねじ体７３用の貫通孔５６１ｃにより構成される。
【００４５】
装着部５６１は、図１０に示すように、当接板部分５６１ａからベース５２内に延伸するベース側延伸部分５６１ｄと、当接板部分５６１ａから透光性カバー５３内に延伸するカバー側延伸部分５６１ｅとを有する。
ベース側延伸部分５６１ｄは、図４の（ｂ）に示すように、ベース５２の円弧壁部５２７の内周面に当接（近接）するように横断面形状が円弧状をしている。ベース側延伸部分５６１ｄは、図１０に示すように、当接板部分５６１ａにおける最も裏側に位置する部分には形成されておらず、当該非形成部分を挟んで周方向に沿って２個存在する。
ベース側延伸部分５６１ｄにおける表側端は、図４の（ｂ）に示すように、ベース５２のＳ字状壁部５２６に当接（近接）する。これにより、ベース５２がケース本体５６０に対して周方向に位置決めされる。
【００４６】
カバー側延伸部分５６１ｅは、図４の（ｂ）に示すように、透光性カバー５３の本体部５３１の内周面に当接（近接）するように横断面形状が円弧状をしている。カバー側延伸部分５６１ｅは、円弧の周方向の端部が透光性カバー５３の凸条部５３３に当接（近接）する。これにより、透光性カバー５３がケース本体５６０に対して周方向に位置決めされる。
装着部５６１は、図４の（ｂ）及び図１２に示すように、当接板部分５６１ａの内面とカバー側延伸部分５６１ｅの内面とに跨って裏側に延伸して、図３に示すように、ベース５２の直線壁部５２４の端面に当接するベース当接部分５６１ｆを有している。
【００４７】
装着部５６１は、図１０及び図１３に示すように、当接板部分５６１ａにおける一対のベース側延伸部分５６１ｄの間から点灯回路ユニット５１の回路ケース５１５内に延伸する延伸部分５６１ｇを有している。延伸部分５６１ｇの延伸先端部の裏面には、図１３に示すように、裏側に突出する凸部分５６１ｈが設けられている。凸部分５６１ｈは、図１３に示すように、回路ケース５１５の貫通孔５１５ｆに係合する。これにより点灯回路ユニット５１がベース５２内で位置決め（固定）される。
なお、一対のベース側延伸部分５６１ｄと延伸部分５６１ｇとは図１３に示すように連結している。
【００４８】
装着部５６１は、図４の（ｂ）及び図１０に示すように、当接板部分５６１ａから点灯回路ユニット５１の回路ケース５１５内に延伸する一対の回路側延伸部分５６１ｊを有している。回路側延伸部分５６１ｊは、図４に示すように、回路ケース５１５の立設板部分５１５ｂの内面に沿って延伸する。これにより、回路ケース５１５の短手方向のズレを規制できる。
【００４９】
（ｂ）ケース部５６２
ケース部５６２は、図１０〜図１２に示すように、口金ケース５５２の一部であって通信モジュール５８１を収容するケースの略半分を構成する。ケース部５６２は、装着部５６１の当接板部分５６１ａに対して、ベース側延伸部分５６１ｄやカバー側延伸部分５６１ｅが延伸する側と反対側に設けられている。ケース部５６２は円盤状の当接板部分５６１ａにおける表側半分に連続して設けられている。
ケース部５６２は、図１１に示すように、ケース部分５６２ａと、ピン付き盤体５５３を装着するためのケース側盤体装着部分５６２ｂと、ケース蓋体５７０を装着するための蓋体装着部５６２ｃとを有している。
【００５０】
ケース部分５６２ａは、図１１及び図１２に示すように、直方体状の箱を半分にして長手方向に沿う角部分を丸くしたような形状をしている。ケース部分５６２ａは、図１１に示すように、照明器具３の長手方向に長い矩形状の底壁５６２ｄと、底壁５６２ｄの長辺側の端部から立設する一対の側壁５６２ｅと、底壁５６２ｄと一対の側壁５６２ｅとの一端を連結する端壁５６２ｆとを有している。なお、底壁５６２ｄと側壁５６２ｅとの連結部分が丸くなっているが、丸くなった部分は側壁５６２ｅとする。
【００５１】
側壁５６２ｅは、図１２に示すように、長手方向に延伸する溝５６２ｇを裏側端面に有する。溝５６２ｇには、図１１に示すように、ケース蓋体５７０の周壁５７１ｂの端面の突条部５７１ｄが嵌合する（図１４の（ｃ）参照）。
端壁５６２ｆは、図１１に示すように、裏側から表側に凹入する凹入部５６２ｈを有している。凹入部５６２ｈは半円状をしている。
ケース部５６２は、図１２に示すように、端壁５６２ｆに対して長手方向に間隔をおいて対向する対向板部５６２ｊと、対向板部５６２ｊと端壁５６２ｆとに直交する状態で両者を連結する直交板部５６２ｋとを有する。端壁５６２ｆと対向板部５６２ｊと直交板部５６２ｋとから溝５６２ｍが構成される。
端壁５６２ｆの凹入部５６２ｈにはピン付き盤体５５３の円形状の板状部５５０ａが嵌合し、溝５６２ｍにピン付き盤体５５３の円弧状部５５０ｂ（図１０及び図１２参照）が嵌合する。つまり、端壁５６２ｆの凹入部５６２ｈと溝５６２ｍ（溝を構成するための板部等を含む）とでケース側盤体装着部分５６２ｂが構成される（図１１参照）。
【００５２】
ケース部５６２は、図１２に示すように、表裏方向のねじ孔５６２ｎを有する延伸部５６２ｐを底壁５６２ｄに有する。ねじ孔５６２ｎには蓋体５７０の貫通孔５７３ｃ（図１３参照）を挿通するねじ体７５のねじ部が螺合する。これにより、ケース蓋体５７０がケース本体５６０に装着される（図１２参照）。なお、延伸部５６２ｐに設けられたねじ孔５６２ｎは蓋体装着部５６２ｃを構成する（図１２参照）。
【００５３】
ケース部５６２は、図１０に示すように、通信モジュール５８１を表側から支持する支持部分を底壁５６２ｄと側壁５６２ｅとに有している。支持部分は、裏側に突出し且つ長手方向に延伸する長突条部分５６２ｑと、裏側に突出し且つ長突条部分５６２ｑから短手方向の外方へと延伸する短突条部分５６２ｒとにより構成される。
ケース部５６２は、図１０に示すように、通信モジュール５８１を位置決めする位置決め部分を底壁５６２ｄと側壁５６２ｅとに有している。位置決め部分は長突条部分５６２ｑと短突条部分５６２ｒから通信モジュール５８１の通信基板５９１の端縁（端面）に沿って裏側に延伸する延伸部分５６２ｓにより構成される。位置決め部分は、通信基板５９１の周縁に沿って複数個設けられている。
【００５４】
ケース部５６２は通信モジュール５８１を位置決めする位置決め部分を底壁５６２ｄに有している。位置決め部分は、図１２に示すように、裏側に延伸する延伸部分５６２ｔにより構成される。延伸部分５６２ｔは、横断面が円形状をし、通信モジュール５８１の通信基板５９１の貫通孔５９１ａを挿通する。
【００５５】
（ｃ）支持部５６３
支持部５６３は、図１２に示すように、当接板部分５６１ａにおける一端側の面に設けられている。支持部５６３は、長手方向の一端側に突出する突出部分５６３ａを当接板部分５６１ａであってケース部分５６２ａが形成されていない部分に有している。突出部分５６３ａは、長手方向の一端側から見たときに、表側がケース部分５６２ａに連結する「Ｕ」字状をしている。突出部分５６３ａの内、円弧状をしている部分が、図１４の（ａ）に示すように、ケース蓋体５７０の周壁５７１ｂの内面に当接（近接）する。これにより、ケース蓋体５７０の長手方向の他端部がケース本体５６０により支持される。
【００５６】
（６−１−２）ケース蓋体５７０
ケース蓋体５７０はケース本体５６０や盤体５５０とで口金ケース５５２を構成する。
ケース蓋体５７０は、図１２に示すように、蓋部５７１を有する。蓋部５７１は端壁５７１ａと周壁５７１ｂとを有する。ケース蓋体５７０は、ピン付き盤体５５３を装着するための蓋側盤体装着部分５７２を蓋部５７１に有する。ケース蓋体５７０は、蓋部５７１をケース本体５６０に装着するための蓋側装着部５７３を有する。
【００５７】
端壁５７１ａは、図１２に示すように、表側から裏側に凹入する凹入部５７１ｃを有している。凹入部５７１ｃは半円状をしている。
蓋部５７１は、図１１に示すように、表側に突出して長手方向に延伸する突条部５７１ｄを周壁５７１ｂの表側端面に有する。突条部５７１ｄは、図１４の（ｃ）に示すように、ケース本体５６０の側壁５６２ｅの溝５６２ｇに挿入（嵌合）する。
【００５８】
蓋部５７１は、図１０に示すように、周壁５７１ｂにおける端壁５７１ａと反対側である他端部であって端縁から長手方向の内側に入った部位から内側（中心軸側）に向かって板状に延伸する延伸板部５７１ｅを開口側両端部に有している。
ケース蓋体５７０がケース本体５６０に装着された状態では、図１４の（ａ）に示すように、周壁５７１ｂの長手方向の他端部の内面がケース本体５６０の突出部分５６３ａの外周面に近接（当接）する。
ケース蓋体５７０がケース本体５６０に装着された状態では、図１３に示すように、延伸板部５７１ｅの他端側の面が、突出部分５６３ａの一端側の面に近接する。
【００５９】
図１０に示すように、周壁５７１ｂにおける延伸板部５７１ｅより長手方向の外方側は、図１０に示すように、欠け部５７１ｆとなっている。ケース蓋体５７０がケース本体５６０に装着された状態では、図１４の（ａ）に示すように、欠け部５７１ｆにより形成される空間にねじ体７３の頭部が位置する。
【００６０】
蓋部５７１は、図１０及び図１３に示すように、周壁５７１ｂにおける他端側であって裏側端（円弧の頂部）から表側に板状に延伸する延伸板部５７１ｇを有する。延伸板部５７１ｇにおける他端側の面であって表側端部には他端側に突出する凸部５７１ｈが設けられている。ケース蓋体５７０がケース本体５６０に装着された状態では、図１３に示すように、凸部５７１ｈはケース本体５６０の突出部分５６３ａの内面に表側から係合する。
【００６１】
蓋部５７１は、図１１に示すように、端壁５７１ａに対して長手方向に間隔をおいて対向する対向板部５７２ａと、対向板部５７２ａと端壁５７１ａとに直交する状態で両者を連結する直交板部５７２ｂとを有する。端壁５７１ａと対向板部５７２ａと直交板部５７２ｂとから溝５７２ｃが構成される。
端壁５７１ａの凹入部５７１ｃには、ピン付き盤体５５３の板状部５５０ａが嵌合し、溝５７２ｃにピン付き盤体５５３の円弧状部５５０ｂが嵌合する。つまり、端壁５７１ａの凹入部５７１ｃと溝５７２ｃ（溝を構成するための板部等を含む。）とで蓋側盤体装着部分５７２が構成される。
【００６２】
蓋部５７１は、図１３に示すように表側に延伸する有底筒状部５７３ａを周壁５７１ｂに有する。有底筒状部５７３ａの底部分５７３ｂには貫通孔５７３ｃが設けられている。ねじ体７５（図１０参照）のねじ部は蓋体５７０の貫通孔５７３ｃを挿通して、ケース本体５６０のねじ孔５６２ｎに螺合する。これにより、ケース蓋体５７０がケース本体５６０に装着される。なお、ねじ体７５の頭部は有底筒状部５７３ａ内に配される。また、有底筒状部５７３ａ及び当該有底筒状部５７３ａに設けられた貫通孔５７３ｃは蓋側装着部５７３を構成する。
【００６３】
ケース蓋体５７０は、図１１に示すように、ケース本体５６０の通信モジュール５８１を支持する支持部５７４を有している。支持部５７４は、周壁５７１ｂの内面から表側に延伸する。支持部５７４の延伸先端部分が、図１４の（ｃ）に示すように、通信モジュール５８１の通信基板５９１の裏面に当接（近接）する。これにより、通信モジュール５８１は位置が固定される。
【００６４】
（６−１−３）通信ユニットに関して
通信側口金ユニット５５は、図１１に示すように、口金ケース５５２の内部に通信モジュール５８１を収容し、通信モジュール５８１に対して着脱自在に接続されるドングル５８２用の貫通窓５７６と、ドングル５８２を支持するドングル支持部５７７とを口金ケース５５２に有する。
通信モジュール５８１は口金ケース５５２内に配され、点灯回路ユニット５１から離間することとなり、点灯回路ユニット５１のノイズの影響を受け難くできる。通信側口金ユニット５５は、点灯回路ユニット５１から離間するものの、給電側口金ユニット５４よりは点灯回路ユニット５１に近い状態で設けられている。このため、信号線及び電力線を含む高価な通信ケーブル５１９を短くできる。
【００６５】
貫通窓５７６は、図１０に示すように、ケース蓋体５７０の周壁５７１ｂに設けられている。貫通窓５７６を裏側からみた形状は、ドングル５８２を裏側から見た形状と略一致している。貫通窓５７６は、長尺状の口金ケース５５２を裏側から見たときに、口金ケース５５２における長手方向に延伸する中心軸に近傍であって当該中心軸を含まないように形成されている。これにより、表裏方向に長いドングル５８２を口金ケース５２２における表裏方向の寸法が大きな部位で収容でき、ドングル５８２が口金ケース５２２から張り出すのを防止できる。
【００６６】
ドングル支持部５７７は、図１１及び図１３に示すように、貫通窓５７６から表面に延伸する筒部分５７７ａと、筒部分５７７ａの内面に形成された凸部分５７７ｂ（図１１参照）と、筒部分５７７ａにおける凸部分５７７ｂの両側に形成された貫通溝５７７ｃとを有する。
【００６７】
筒部分５７７ａはドングル５８２の外周面に沿うように形成されている。筒部分５７７ａは、図１１に示すように、横断面形状が口金ケース５２２の長手方向に長い矩形状に似た形状をしている。ドングル支持部５７７は、図１０に示すように、外方へ膨出し且つ筒部分５７７ａの筒軸方向に延伸する溝部分５７７ｄを有している。ここでは、溝部分５７７ｄは筒部分５７７ａにおいて長手方向に対向する２つの部位に形成されている。溝部分５７７ｄには、図１０及び図１１に示すように、ドングル５８２の突条部分５９７ｋが挿入される。つまり、溝部分５７７ｄは、ドングル５８２を通信モジュール５８１に接続する際のドングル５８２のガイドとして機能する。
【００６８】
凸部分５７７ｂは、図１１に示すように、両側の貫通溝５７７ｃにより筒軸に対して遠近する方向に弾性変形可能に構成されている。凸部分５７７ｂは、図１２に示すように、ドングル５８２の屈曲部分５９７ｅの通過により弾性変形し、通過後に凹み部分５９７ｈ内に位置する。これにより、ドングル５８２のドングル支持部５７７からの抜けを規制できる。
【００６９】
（６−２）ピン付き盤体
ピン付き盤体５５３は、図１０〜図１２に示すように、一対の口金ピン５５１と盤体５５０とを備える。
盤体５５０は、口金ピン５５１が装着される板状部５５０ａと、板状部５５０ａに設けられた円弧状部５５０ｂとを有する。
板状部５５０ａの一端側の面は平坦状をしている。板状部５５０ａは円板状をしている。盤体５５０は、図１０に示すように、口金ピン５５１を固定するボス部分５５０ｃを板状部５５０ａの他端側の面に有する。盤体５５０は板状部５５０ａの他端側の面の周縁部から他端側に円環に突出する鍔部分５５０ｄを有している。
【００７０】
円弧状部５５０ｂは一対の口金ピン５５１を結ぶ仮想線に対して線対称となるように設けられている。２つの円弧状部５５０ｂの円弧は、板状部５５０ａの円よりも大きく、板状部５５０ａから径方向外方へと張り出すように設けられている。円弧状部５５０ｂはボス部分５５０ｃと連結している。
ピン付き盤体５５３は、図１２に示すように、板状部５５０ａがケース本体５６０の凹入部５６２ｈとケース蓋体５７０の凹入部５７１ｃに嵌合し、円弧状部５５０ｂがケース本体５６０の溝５６２ｍとケース蓋体５７０の溝５７２ｃに挿入される。これにより、口金ピン５５１が口金ケース５５２装着される。
【００７１】
（７）通信ユニット
（７−１）回路系
通信ユニット５８は、図８に示すように、無線通信部５８３、通信制御部５８４、記憶デバイス５８５等を備える。無線通信部５８３は照明制御装置７（側）と通信（送受信）する。記憶デバイス５８５は自装置（自ＬＥＤ直管ランプ５）の識別情報等を格納する。ここでの識別情報は、図１に示す「Ａ０１」、「Ｄ０１」等の個体識別情報である。
通信制御部５８４は、無線通信部５８３が受信した受信信号が自装置に関するものである場合に受信信号に含まれる点灯情報を点灯回路ユニット５１に伝達し、受信信号が他装置に関するものである場合に受信信号を点灯回路ユニット５１に伝達しないように制御したり、他の装置に伝送するように制御したりする。なお、受信信号が自装置に関するものであるか否かは、記憶デバイス５８５に格納された識別情報との照合により行う。
通信制御部５８４は、照明制御装置７からの制御指示に対する動作状況を点灯制御部５１１から入力されると、その動作状況を照明制御装置７に送信するよう制御する。
【００７２】
通信ユニット５８は、図５、図８、図１０及び図１２に示すように、通信モジュール５８１とドングル５８２とを備える。
通信モジュール５８１は、無線通信部５８３及び通信制御部５８４を構成する複数個の電子部品５８７と、記憶デバイス５８５を装着するためのスロット５８８と、点灯回路ユニット５１に通信ケーブル５１９を介して接続するためのコネクタ５８９とを通信基板５９１に実装してなる。なお、複数個の電子部品５８７は図１０〜図１２では１つのブロックで示している。記憶デバイス５８５をケース５９６内に収容したものをドングル５８２とする。通信ケーブル５１９は、点灯情報や識別信号等を伝送する信号線と、通信ユニット５８が点灯回路ユニット５１から受電するための電力線とを含む。
通信基板５９１は、図１０に示すように、通信基板５９１は口金ケース５２２の表側に配される。これにより、通信基板５９１に対して直交する状態で接続されるドングル５８２が口金ケース５２２から張り出さないようにできる。
【００７３】
ドングル５８２はＬＥＤ直管ランプ５から着脱可能であるため、ＬＥＤ直管ランプ５を交換する必要が生じた場合でも、例えば、ＬＥＤ直管ランプ５のみを交換し、新たなＬＥＤ直管ランプ５に前のＬＥＤ直管ランプ５で使用していた（含まれていた）ドングル５８２を挿入することにより個体識別情報の書き込み等をすることなく交換前と同様に通信制御が可能となる。
通信制御部５８４は、ＣＰＵ、ＲＡＭ、ＲＯＭ等を備えたマイクロコンピュータで構成されている。通信制御部５８４は、ＣＰＵがＲＯＭに格納されたプログラムやデータに基づいて、受信信号を照合したり、記憶デバイス５８５に対して識別情報の書き換えを行ったり、受信信号に含まれている点灯情報を点灯制御部５１１に伝達したりする（図８参照）。なお、無線通信部５８３のアンテナは通信制御部５８４のＣＰＵ等と一体に集積されているが、ＣＰＵとは別に独立して通信基板５９１に設けられてもよい。
【００７４】
（７−２）記憶デバイス５８５
図１５及び図１６を用いて説明する。
記憶デバイス５８５は、記憶素子５９３とコネクタ５９４とを記憶基板５９５に実装してなる。ケース５９６の外周形状は、図１０〜図１２に示すように、口金ケース５５２の貫通窓５７６の形状や筒部分５７７ａの内周形状に対応している。
ケース５９６は、記憶デバイス５８５を固定する固定台５９７と、固定台５９７に固定された記憶デバイス５８５を覆う蓋体５９８とから構成される。
【００７５】
（７−２−１）固定台５９７
固定台５９７は裏側が開放する深底の箱状をしている。固定台５９７の横断面形状は、長手方向に長い矩形環状をしている。固定台５９７は、図１５に示すように、底部５９７ａと周壁部５９７ｂとを有する。
底部５９７ａは貫通孔５９７ｃを有している。貫通孔５９７ｃには通信モジュール５８１のスロット５８８の接続ピン（図１０参照）が挿通する。挿通した接続ピンは内部に配された記憶デバイス５８５のコネクタ５９４に接続される。
【００７６】
周壁部５９７ｂを構成する一対の長壁部分５９７ｄは厚み方向の外方へ「コ」字状に屈曲する屈曲部分５９７ｅを有している。これにより、記憶デバイス５８５のコネクタ５９４が固定台５９７に接触することなく記憶デバイス５８５を内部に収容できる。
屈曲部分５９７ｅにおける短壁部分５９７ｆと平行な端面は、表側がＬＥＤ直管ランプ５の長手方向に一段下がる段差５９７ｇとなっている。なお、段差５９７ｇには後述の蓋体５９８の凸部５９８ｃが係合する。
【００７７】
貫通孔５９７ｃに面する一方の屈曲部分５９７ｅは、図１５に示すように、厚み方向に凹む凹み部分５９７ｈを有している。凹み部分５９７ｈは、屈曲部分５９７ｅにおける裏側端から表側端手前まで延伸する。このため、表側端部に凹入しない残部分５９７ｊが存在する。
残部分５９７ｊは、ドングル５８２を口金ケース５５２の貫通窓５７６に挿入した際に、口金ケース５５２から外れるのを防止する外れ防止部として機能する。つまり、ドングル５８２を挿入していくと、口金ケース５５２の凸部分５７７ｂ（図１１参照）がドングル５８２の残部分５９７ｊと接触し、さらにドングル５８２を挿入すると、凸部分５７７ｂが弾性変形して残部分５９７ｊを乗り越えてドングル５８２の凹み部分５９７ｈ内に位置する。これにより、ドングル５８２が口金ケース５２２から抜け（外れ）ようとすると、ドングル５８２の残部分５９７ｊが凸部分５７７ｂに係合する。
【００７８】
周壁部５９７ｂを構成する一対の短壁部分５９７ｆは、ＬＥＤ直管ランプ５の表裏方向に延伸する突条部分５９７ｋを有している。突条部分５９７ｋは口金ケース５５２の筒部分５７７ａの溝部分５７７ｄ（図１０参照）に嵌合する。なお、一対の短壁部分５９７ｆの内面間は記憶デバイス５８５の記憶基板５９５の寸法に対応している。
（７−２−２）蓋体５９８
【００７９】
蓋体５９８は、ＬＥＤ直管ランプ５の長手方向に長い矩形箱状をし、且つ表側が開放する箱部５９８ａを有している。箱部５９８ａは記憶デバイス５８５における固定台５９７から露出する部分を覆う。
【００８０】
固定台５９７及び蓋体５９８は互いに結合させるための結合部を有している。ここでの結合は係合構造を利用している。蓋体５９８は、表側に延伸する延伸片５９８ｂと、延伸片５９８ｂに設けられた凸部５９８ｃとを有する。
延伸片５９８ｂは、矩形箱状の箱部５９８ａの表側端であって角部から延伸し、複数本ある。ここでは合計で４本ある。凸部５９８ｃは、箱部５９８ａの長手方向に並設された一対の延伸片５９８ｂにおいて対向する状態で設けられている。
蓋体５９８の凸部５９８ｃが固定台５９７の周壁部５９７ｂの段差５９７ｇに係合する。なお、係合関係は逆であってもよい。
【００８１】
蓋体５９８は、図１６に示すように、口金ケース５５２の貫通窓５７６の外方へと張り出す張出部５９８ｄを箱部５９８ａの裏端側に有する。張出部５９８ｄは、張出方向から見ると、表側が開口する「コ」字状をしている。ドングル５８２が通信モジュール５８１接続された状態では、張出部５９８ｄはケース蓋体５７０の貫通窓５７６の周辺部５７１ｊ（図１０参照）に当接する。これにより、ドングル５８２を通信モジュール５８１に接続する際に、ドングル５８２の口金ケース５５２内への押し込みすぎを防止できる。
【００８２】
矩形箱状の蓋体５９８におけるＬＥＤ直管ランプ５の中心軸から離れた側の長壁部分と当該長壁部分に隣接する側壁部分との角部分５９８ｆが円弧状をしている。これにより、ドングル５８２の口金ケース５２２への挿入部分の意匠性を高めることができる。
【００８３】
４．照明制御装置
照明制御装置７は、ここでは、壁に埋設された操作装置（リモートコントローラ）であり、点灯情報等を表示する表示部と、点灯情報等を操作入力する入力部と、操作入力された情報を照明装置１に送信するための送信部と、種々の条件やデータ等を記憶する記憶部と、表示部、入力部、送信部及び記憶部等を制御する制御部とを備える。なお、制御部はＣＰＵ等を備えるマイクロコンピュータにより構成されている。
【００８４】
５．通信ネットワーク
図１に示すように、照明システム８は複数台の照明装置１と一つの照明制御装置７とを有する。照明システム８の通信ネットワークは、通信ネットワーク内の各装置の接続関係が固定された固定型のネットワークでもよく、各装置の接続関係が適宜変更される適応型のネットワークでもよい。
適応型のネットワークでは、各照明装置１は、他の照明装置１又は照明制御装置７との通信品質を常時評価し、自動的なルーティングにより通信品質が最も良い相手に自動的に接続する。これにより、通信ネットワークでの環境の変化や照明装置１の故障が生じても、通信ネットワークでの通信品質が常時最適に維持される。
【００８５】
照明システム８の通信ネットワークにおいて、照明制御装置７からの制御信号は目的の照明装置１まで直接又は間接的に伝送される。例えば、両者の間の物理的距離が近く且つその間に壁などの障害物がない場合、照明制御装置７からの制御信号は、直接、目的の照明装置１に伝送される。両者の間の物理的距離が遠い場合、又は、物理的距離が近く且つその間に障害物がある場合、照明制御装置７からの制御信号は、一つ又は複数の照明装置１を中継して目的の照明装置１に伝送される。制御信号の中継を利用することで、照明システム８を大規模な施設又は障害物の多い施設に適用することができる。
【００８６】
照明システム８の通信プロトコルは、既存のプロトコルでもよく、独自に開発されたプロトコルでもよい。既存のプロトコルとしては、例えば、Ｂｌｕｅｔｏｏｔｈ（登録商標）、ＺｉｇＢｅｅ（登録商標）、ＷｉＦｉ（登録商標）、ＡＮＴ（登録商標）、Ｗｉ−ＳＵＮ（登録商標）、Ｚ−ｗａｖｅ（登録商標）、ＷｉｒｅｌｅｓｓＨＡＲＴ（登録商標）、ＥｎＯｃｅａｎ（登録商標）を利用できる。
【００８７】
さらに、無線通信の耐障害性を高めるため、周波数ホッピングを実装した通信プロトコルを採用してもよい。周波数ホッピングは、短い所定の単位時間ごとに制御信号を送信する周波数を変更する方式で、次々に送信周波数を変更するため特定の周波数でノイズが発生した場合でも他の周波数で通信したデータによって訂正可能にする方式である。一例として、事前に周波数ホッピングを用いて、多数の周波数で通信を行い、各周波数チャネルの通信品質を取得し、その後にノイズの少ない周波数チャネルを選択して通信を行うことが好ましい。
【００８８】
なお、無線通信の媒体は、電波に限らず、赤外線又は可視光線のような光でもよい。
照明制御装置７は、無線通信部を内部に備えてもよいし、外部に備えてもよい。外部に備える例として、ルータ等の外部中継装置に有線で接続する場合等がある。
【００８９】
６．通信制御部の動作
通信ユニット５８における通信制御部５８４が制御信号を受信した際の動作の一例について図１７を用いて簡単に説明する。
通信制御部５８４は、無線通信部５８３から制御信号を受信すると、通信制御用のプログラムをスタートする。
ステップＳ１において、受信信号が自装置に関するものか、別装置に関するものかを判定する。判定は、記憶デバイス５８５に記憶されている自己の識別情報と、受信信号内に含まれる識別情報との比較で行う。
【００９０】
ステップＳ１において、受信信号が自装置に関するものである場合（「Ｙｅｓ」である。）、受信信号が点灯信号であるか否かを判定する（Ｓ２）。本例では、照明制御装置７から送信される制御情報は、点灯時刻、消灯時刻、調光タイミング等の点灯情報に関する点灯信号と、記憶デバイス５８５に記憶されている識別情報に関する識別信号との２種類である。
【００９１】
受信信号が点灯情報に関する点灯信号の場合（Ｓ２において「Ｙｅｓ」である。）、点灯情報を点灯回路ユニット５１の点灯制御部５１１に伝達する（Ｓ３）。これを受けて、点灯制御部５１１は新たな点灯情報を記憶部５１２に記憶し、当該点灯情報に合った点灯電力を点灯電力生成部５１０に生成させる。
ステップＳ２において受信信号が点灯信号でない場合、つまり、受信信号が識別信号の場合（「Ｎｏ」である。）、記憶デバイス５８５の識別情報を新たな識別情報に書き換える（Ｓ４）。なお、ステップＳ３又はステップＳ４を終えると、今回受信した制御信号に対する処理が終了（ＥＮＤ）し、次回の受信まで待機する。
【００９２】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００９３】
＜変形例＞
１．照明装置及び照明システム
実施形態では、図１に示すようなオフィスの一フロアを想定して、ブロックごとに点灯情報を変更するようにしている。しかしながら、照明システムは、複数階のフロア用であってもよいし、一フロア内の複数の会議室や事務室用であってもよい。
実施形態の照明システムはオフィスの一フロアを想定している。このため、オフィスで多く採用されている長尺状のベースライトである照明装置について説明している。しかしながら、照明システムは、例えば、大型店舗用であってもよいし、一般住宅用であってもよい。一般住宅用の場合、各部屋の照装器具は、ベースタイプ、ペンダントタイプ、シーリングタイプ等を含んでもよく、照明用ランプは、例えば、ＬＥＤ電球、ＬＥＤ環状ランプ等が利用できる。また、複数台の照明装置は、すべて同じタイプのものであってもよいし、異なるタイプであってもよい。
【００９４】
実施形態の照明器具３は２本のＬＥＤ直管ランプ５を装着しているが、例えば、１本又は３本以上のＬＥＤ直管ランプを装着する照明器具であってもよい。照明器具３は二等辺三角形状の傾斜面に一組のソケット３３が取付けられた器具ベース３１を備えているが、例えば、平坦面に一組のソケットが取付けられた器具ベースであってもよいし、平坦面に複数組のソケットが取付けられた器具ベースであってもよい。
実施形態の照明器具３は設置面に取付けられているが、例えば、埋め込み式の器具であってもよいし、吊り下げ式の器具であってもよい。照明器具３はカバーを備えていないが、カバーを備えてもよい。
【００９５】
実施形態のＬＥＤ直管ランプ５は、一列状にＬＥＤ素子５０１を複数個有しているが、例えば、２列状、千鳥状にＬＥＤ素子を複数個有してよい。ＬＥＤ直管ランプ５は調光可能に構成されていたが、複数色のＬＥＤ素子を備えて調色可能に構成してもよい。実施形態では発光素子としてＬＥＤ素子５０１を利用しているが、有機ＥＬ素子、レーザ素子等を光源に利用してもよい。
実施形態の照明器具３及びＬＥＤ直管ランプ５はＧタイプの端子を備えているが、Ｒタイプや、ＧＸタイプの端子を利用してもよい。なお、盤体５５０に設ける端子の種類を変えることで、他の構造を変えずに他の端子構造の口金ユニットが得られる。
【００９６】
実施形態のＬＥＤ直管ランプ５は両端に口金ユニット５４，５５を有し、各口金ユニット５４．５５は口金ピン５４１，５５１を有している。しかしながら、照明用ランプは、例えば、直管タイプにおいて、一方の端部（給電側口金ユニット）にのみ口金ピン５４１を設けて、他方の端部（通信側口金ユニット）には口金ピン５５１を設けないで、ランプホルダー等によって照明器具３に固定する、所謂、片側給電タイプであってもよい。なお、口金ピン以外の端子を有する口金ユニットに対しても同様である。
【００９７】
２．照明制御装置
実施形態の照明制御装置７は照明装置専用の制御装置（リモートコントローラ）であったが、例えば、照明制御装置として、パーソナルコンピュータ、スマートフォン及びタブレット等を利用することもできる。また、照明装置１に対する各種の設定及び操作は、専用のアプリケーションや一般的なウェブブラウザで行ってもよい。
【００９８】
３．通信ユニット
（１）通信ユニット
実施形態の通信ユニット５８は、口金ユニット（通信側口金ユニット）５５の口金ケース５２２に設けられているが、例えば、点灯回路ユニット５１の回路ケース５１５を里余してもよい。但し、金属製のベース５２を利用する場合は通信用の窓等を設ける必要がある。
（２）通信モジュール
実施形態では、通信ユニット５８と点灯回路ユニット５１との接続を通信ケーブル５１９で行っている。両者間の通信方法は、特に限定するものではなく、例えば、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）回路、ＵＡＲ回路、Ｉ２Ｃ（登録商標）等の通信回路を用いてもよい。
また、通信は、通信目的に合わせて、単向通信、半二重通信、全二重通信等適宜使用できる。通信は、有線であってもよいし、無線であってもよい。
【００９９】
（３）記憶デバイス
実施形態では、記憶デバイス５８５をドングル５８２の形態で備えているが、記憶デバイス５８５の機能を通信モジュールに組み込んで一体化したものであってもよい。
実施形態では、記憶基板５９５の主面が表裏方向と平行となるように通信基板５９１のスロット５８８に着脱自在に取り付けられているが、記憶基板５９５の主面が通信基板５９１の主面と平行となるようにスロットに着脱自在に取り付けるようにしてもよい。
実施形態では、記憶デバイス５８５をドングル５８２の形態で備えているが、例えば、記憶デバイス５８５を通信モジュール５８１に着脱自在に取り付けた状態で、口金ケースに装着するように構成してもよい。
【０１００】
（４）識別情報
実施形態の識別情報は、自装置を他装置と識別するための個体識別情報であったが、例えば、自装置が設けられているブロック名、ブロック番号、部屋名、会議室名等のグループ識別情報を追加して記憶してもよいし、固体識別情報の代わりに記憶してもよい。
また、複数台の照明装置１が複数階に亘って配されている場合、識別情報として、自装置の配されている階数を記憶してもよい。
【符号の説明】
【０１０１】
１      照明装置
３      器具
５      ＬＥＤ直管ランプ（照明用ランプ）
７      照明制御装置
８      照明システム
【図１】
2019009073.tif 000003
【図２】
2019009073.tif 000004
【図３】
2019009073.tif 000005
【図４】
2019009073.tif 000006
【図５】
2019009073.tif 000007
【図６】
2019009073.tif 000008
【図７】
2019009073.tif 000009
【図８】
2019009073.tif 000010
【図９】
2019009073.tif 000011
【図１０】
2019009073.tif 000012
【図１１】
2019009073.tif 000013
【図１２】
2019009073.tif 000014
【図１３】
2019009073.tif 000015
【図１４】
2019009073.tif 000016
【図１５】
2019009073.tif 000017
【図１６】
2019009073.tif 000018
【図１７】
2019009073.tif 000019